(57)【要約】      （修正有）【課題】夜間の行動及び作業に好適な安全帽子を提供する。【解決手段】帽子本体９と鍔部８の表面に線状に光反射性布帛２を縫いつけ、鍔部８の上面に太陽光発電素子６を組込み、鍔部８に蓄電池４とスイッチ５を配置したものである。発光ダイオード３は、帽子前部に複数個取り付け、前方を照射するようにしている。【選択図】図１
0003151762.tif 000002
【実用新案登録請求の範囲】
【請求項１】
帽子本体と鍔部に発電素子、蓄電池及び発光ダイオードを含む帽子において、帽子本体と鍔部の一部または全体が光反射性布帛からなることを特徴とする反射材組込帽子。
【請求項２】
帽子本体と鍔部に発電素子、蓄電池及び発光ダイオードを含む帽子において、帽子本体と鍔部の一部または全体が光反射性布帛からなり、帽子の両側部にめがね保持用の支持具が装着されていることを特徴とする反射材組込帽子。
【請求項３】
帽子本体と鍔部に発電素子、蓄電池及び発光ダイオードを含む帽子において、帽子本体と鍔部の一部または全体が光反射性布帛からなり、携帯機器用の電源供給用コンセントが設けられていることを特徴とする反射材組込帽子。
【請求項４】
帽子本体と鍔部に発電素子、蓄電池及び発光ダイオードを含む帽子において、帽子本体と鍔部の一部または全体が光反射性布帛からなり、携帯機器用の電源供給用コンセントが設けられ、帽子の両側部にめがね保持用の支持具が装着されていることを特徴とする反射材組込帽子。
【請求項５】
前記発電素子は、太陽電池パネルまたは燃料電池であることを特徴とする請求項１に記載の反射材組込帽子。
【考案の詳細な説明】
【技術分野】
【０００１】
本考案は、反射材組込帽子に係り、より詳しくは、夜間行動時に光を反射して帽子装着者の存在を他に認識させると共に、発光体により帽子装着者自身の行動を容易にして安全確保を可能とする反射材組込帽子に関する。
【背景技術】
【０００２】
太陽電池の普及に伴いこれを帽子に取り付けて光源とする先行考案がある。
実開昭６１−１０３４２７号は、帽子の適宜箇所に太陽電池を設け、ひさしに設けたモーターとファンを駆動させるものである。
実開昭６３−１７７９２６号は、帽子のひさし部分の上面に太陽電池の発電素子を貼り付けたものである。
実開平６−２２３２８号は、ソーラーパネル付き帽子に関する考案で、帽子の上部にソーラーパネル、蓄電池、スイッチ、コンセントを設け、弱電機器の電源とするものである。
その他、ＵＳＰ６６５９６１８は、太陽電池の代わりに通常の電池で帽子の日よけ鍔の最先端に装着された白色ＬＥＤライトを点灯するもので、鍔裏面のボタンを押すことにより点灯、消灯できるようにしたものである。
【０００３】
これらの先行発明及び考案は、夜間の行動用として帽子にライトを設けたものであるが、ライトを点灯していない場合は、帽子装着者の存在を周囲から認識することが困難な場合がある。
【先行技術文献】
【特許文献】
【０００４】
【特許文献１】実開昭６１−１０３４２７号公報
【特許文献２】実開昭６３−１７７９２６号公報
【特許文献３】実開平６−２２３２８号公報
【特許文献４】ＵＳＰ６６５９６１８
【考案の概要】
【考案が解決しようとする課題】
【０００５】
本考案の目的は、夜間の行動及び作業に好適な安全帽子を提供することである。
【課題を解決するための手段】
【０００６】
本考案は、帽子本体と鍔部に発電素子、蓄電池及び発光ダイオード（ＬＥＤ：Ｌｉｇｈｔ  Ｅｍｉｔｔｉｎｇ  Ｄｉｏｄｅ）を含む帽子において、帽子本体と鍔部の一部または全体が光反射性布帛からなることを特徴とする。
【０００７】
また、本考案は、帽子本体と鍔部に発電素子、蓄電池及び発光ダイオードを含む帽子において、帽子本体と鍔部の一部または全体が光反射性布帛からなり、帽子の両側部にめがね保持用の支持具が装着されていることを特徴とする。
【０００８】
また、本考案は、帽子本体と鍔部に発電素子、蓄電池及び発光ダイオードを含む帽子において、帽子本体と鍔部の一部または全体が光反射性布帛からなり、携帯機器用の電源供給用コンセントが設けられていることを特徴とする。
【０００９】
また、本考案は、帽子本体と鍔部に発電素子、蓄電池及び発光ダイオードを含む帽子において、帽子本体と鍔部の一部または全体が光反射性布帛からなり、携帯機器用の電源供給用コンセントが設けられ、帽子の両側部にめがね保持用の支持具が装着されていることを特徴とする。
【００１０】
前記発電素子は、太陽電池パネルまたは燃料電池であることを特徴とする。
【考案の効果】
【００１１】
本考案の反射材組込帽子によれば、夜間の作業、歩行中でもライトを反射するため、周りの人に存在を知らせることが出来、身の安全を図ることが可能となる。
また、発電素子、蓄電池、ライトを内蔵しているため、必要な時には照明を活用することが出来、夜間の歩行をはじめ作業を安全に行なうことができる。
【図面の簡単な説明】
【００１２】
【図１】本考案の実施例１を示す概略図であり、帽子本体９と鍔部８に線状に光反射布帛を縫いつけるとともに、太陽電池素子と発光ダイオードを備えている。
【図２】本考案の実施例２を示す概略図であり、帽子本体９と鍔部８の全表面に光反射性布帛２を縫いつけるとともに、太陽電池素子と発光ダイオードを備えている。
【図３】本考案の実施例３を示す概略図であり、帽子本体９と鍔部８の全表面に光反射性布帛２を縫いつけ、帽子の両側部にめがね保持用の支持具１０を装着したものである。
【考案を実施するための形態】
【００１３】
本考案に使用する光反射性の布帛は、入射光を光源の方向にまっすぐ戻す「再帰性反射」特性を有するものである。
再帰性反射材には，ガラスビーズ型とノンビーズ型があるが，良好な再帰性反射性能を有するガラスビーズ型が主流となっており、ガラスビーズ型には，ガラスビーズが樹脂層に埋没したクローズドタイプとガラスビーズの約半分が空気中に露出したオープンタイプとがある。
再帰性反射材には，貼りつけて使用する再帰性反射シートと，裏面に繊維布帛をバッキングして使用する再帰性反射布帛があり、本考案ではこれを帽子の一部または全体に縫いつけて使用する。
代表的なものに住友スリーエム社製やユニチカ製がある。
【００１４】
以下本考案の実施例を説明する。
（実施例１）
本考案の実施例１は、図１に示す通り、帽子本体９と鍔部８の表面に線状に光反射性布帛２を縫いつけ、鍔部８の上面に太陽光発電素子６を組込み、鍔部８に蓄電池４とスイッチ５を配置したものである。発光ダイオード３は、帽子前部に複数個取り付け、前方を照射するようにしている。
（実施例２）
本考案の実施例２は、図２に示す通り、帽子本体９と鍔部８の全表面に光反射性布帛２を縫いつけ、鍔部８の上面に太陽光発電素子６を組込むとともに蓄電池４を配置し、帽子本体９の側部にスイッチ５を配置したものである。発光ダイオード３は、帽子前部に白色発光ダイオードを複数個取り付けて前方を照射し、帽子後方には赤色発光ダイオードを取り付けている。
【００１５】
（実施例３）
本考案の実施例３は、図３に示す通り、帽子本体９と鍔部８の全表面に光反射性布帛２を縫いつけ、帽子の両側部にめがね保持用の支持具１０を装着したものである。
めがねの支持具１０は、その先端をめがねの両側部に留めて、下を向いた場合などにめがねが外れるのを防ぐ効果を有する。特に自転車に乗った場合などに有効である。
【００１６】
以上本考案の実施例を説明したが、本考案では、帽子本体と鍔部の全表面に光反射性布帛を縫いつけることのほか、帽子本体と鍔部の一部に縫いつけても良い。
また、太陽光発電素子を組込み、帽子本体の側部に蓄電池、スイッチを配置することと、外部機器への電源供給用コンセントを配置すること、帽子の両側部にめがね保持用の支持具を装着することは自由に組み合わせることが可能である。
【００１７】
本考案では、鍔部の上面と帽子本体の頂部に太陽光発電素子を組込むことを中心に説明したが、太陽光発電素子の代わりに小型燃料電池を装着し、燃料電池からの電気を利用するようにしても良い。燃料電池には水素をまたはエタノール水溶液が必要であるため、水素またはエタノール水溶液の小型容器を併せて帽子本体の側部に装着する必要がある。
【００１８】
以上、本考案の好ましい実施形態について説明したが、本考案は前記実施例に限定されず、本考案の属する技術範囲を逸脱しない範囲での全ての変更が含まれる。
【符号の説明】
【００１９】
１  帽子
２  光反射性布帛
３  発光ダイオード
４  蓄電池
５  スイッチ
６  太陽光発電素子
８  鍔部
９  帽子本体
１０  支持具
【図１】
0003151762.tif 000003
【図２】
0003151762.tif 000004
【図３】
0003151762.tif 000005